(57)【特許請求の範囲】
【請求項１】
パネル体の上端部に配置され、連結されるパネル体の側端部に設けられた被係合部の上端に嵌合する鈎部と、ねじ部材が貫通する孔とを有する連結部材と、
上記連結部材の孔を介して、上記パネル体の上端部に設けられたねじ孔に螺合され、かつ回転させられることにより、上記連結部材を、鈎部が被係合部に嵌合した状態でパネル体の上端部に向かって締め付けることができるとともに、下端が上記ねじ孔を貫通して、下方に突出しうるようにしたねじ部材と、
上記パネル体の上部角部の内部空間に回転可能に保持され、上記ねじ部材の下端により下方に押圧される第１の端部と、上記連結されるパネル体の側端部における被係合部の下方に設けられた貫入孔に貫入し、被係合部の下端に係合しうる第２の端部とを有するストッパー
とを備えてなることを特徴とする間仕切りパネルの連結装置。
【請求項２】
上記連結部材は、上記鈎部と反対側の端部が上記パネル体の上端部に回転可能に支持されていることを特徴とする請求項１記載の間仕切りパネルの連結装置。
【請求項３】
上記ストッパーは、ほぼＺ字形状であり、このほぼＺ字形状の上記第１の端部よりの折曲り部において、上記パネル体の上部角部の内部空間に回転可能に保持され、かつ第２の端部が自重で垂下することにより、上記第１の端部が上記ねじ孔の下端部に当接しうるようにしたことを特徴とする請求項１または２記載の間仕切りパネルの連結装置。
【請求項４】
上記ねじ部材の頭部は、手で直接回転可能な形状であることを特徴とする請求項１〜３のいずれかに記載の間仕切りパネルの連結装置。
【請求項５】
上記連結されるパネル体に代えて、上記被係合部と上記貫入孔とを有するコーナー部材を設け、このコーナー部材を介して、パネル体を連結してあることを特徴とする請求項１〜４のいずれかに記載の間仕切りパネルの連結装置。
【請求項６】
上記連結されるパネル体またはコーナー部材の側端部に複数の貫入孔が穿設されており、上記側端部の上端または任意の貫入孔の下端と、それより下方の貫入孔の上端との間の部分を被係合部としたことを特徴とする請求項１〜５のいずれかに記載の間仕切りパネルの連結装置。
【発明の詳細な説明】
【０００１】
【発明の属する技術分野】
本発明は、間仕切りパネルの連結装置に関する。
【０００２】
【従来の技術】
従来、オフィス内を仕切るために配置される間仕切りパネルの連結は、図７に示すように、パネル体(61)及び連結されるパネル体(62)の側端部を突き合わせて(側端部を突き合わせた状態は示されていない)、連結部材(63)を、ねじ(64)でパネル体(61)及び連結されるパネル体(62)に固定することにより行われている。
【０００３】
また、Ｌ形またはＴ形のコーナー部においては、それぞれ図８、図９に示すように、コーナー部材(66)を介してパネル体(67)を突き合わせ、コーナー部の形状に合わせた連結部材(68)を、ねじ(64)によりパネル体(67)に固定することにより行われている。
【０００４】
【発明が解決しようとする課題】
従って、従来は、双方のパネル体のねじ孔に連結部材をねじ止め可能なように、双方のパネル体の高さの位置調整を正確に行う必要があった。
【０００５】
また、連結されるパネル体との間に隙間が生じないように、十分に突き合わせた後、ねじ止めを行わなければならなかった。
【０００６】
また、ドライバーを別途用意し、これを用いて連結部材をねじ止めする必要があり、かつ多くのねじ部材をねじ止めする必要があった。
【０００７】
このように、従来は、パネル体の連結作業が極めて煩雑であった。
【０００８】
本発明の目的は、パネル体の連結作業を極めて容易に行うことができるようにした間仕切りパネルの連結装置を提供することにある。
【０００９】
【課題を解決するための手段】
上記目的を達成するために、本発明の間仕切りパネルの連結装置は、パネル体の上端部に配置され、連結されるパネル体の側端部に設けられた被係合部の上端に嵌合する鈎部と、ねじ部材が貫通する孔とを有する連結部材と、上記連結部材の孔を介して、上記パネル体の上端部に設けられたねじ孔に螺合され、かつ回転させられることにより、上記連結部材を、鈎部が被係合部に嵌合した状態でパネル体の上端部に向かって締め付けることができるとともに、下端が上記ねじ孔を貫通して、下方に突出しうるようにしたねじ部材と、上記パネル体の上部角部の内部空間に回転可能に保持され、上記ねじ部材の下端により下方に押圧される第１の端部と、上記連結されるパネル体の側端部における被係合部の下方に設けられた貫入孔に貫入し、被係合部の下端に係合しうる第２の端部とを有するストッパーとを備えてなることを特徴としている。
【００１０】
上記連結部材は、鈎部と反対側の端部がパネル体の上端部に回転可能に支持されていることが好ましい。
【００１１】
上記ストッパーは、ほぼＺ字形状であり、このほぼＺ字形状の上記第１の端部よりの折曲り部において、上記パネル体の上部角部の内部空間に回転可能に保持され、かつ第２の端部が自重で垂下することにより、上記第１の端部が上記ねじ孔の下端部に当接しうるようにするのが好ましい。
【００１２】
ねじ部材の頭部は、手で直接回転可能な形状であることが好ましい。
【００１３】
連結されるパネル体に代えて、被係合部と貫入孔とを有するコーナー部材を設け、コーナー部材を介して、パネル体を連結するようにしてもよい。
【００１４】
連結されるパネル体またはコーナー部材の側端部に複数の貫入孔を穿設し、上記側端部の上端または任意の貫入孔の下端と、それより下方の貫入孔の上端との間の部分を被係合部としてもよい。
【００１５】
【発明の実施の形態】
本発明の第１の実施態様を、図１〜図３を用いて説明する。
【００１６】
各パネル体(２)は、正面から見て左右対称な形状であり、かつ後述する連結部材、ねじ部材、ストッパーが左右対称に配置されている。パネル体(２)の上端部(６)及び側端部(11)は、それぞれ折曲加工された金属板で構成されている。パネル体(２)の上端部(６)には、長手方向の溝(７)が設けられている。
【００１７】
溝(７)には、角部(５)の位置において、後述するねじ部材が貫通する貫通孔(８)が設けられている。また溝(７)には、後述するねじ部材の収納凹部(９)が設けられている。更に溝(７)の端部には、側端部(11)の上端によって溝(７)の底面より高い仕切り板が形成されており、後述する連結部材(14)の鈎部(16)が係合する被係合部(10)の上端になっている。被係合部(10)は、連結した状態で鈎部(16)の内端面(17)に当接するようになっている。
【００１８】
パネル体(２)の側端部(11)には、複数の貫入孔(12)が、上下方向に適宜の間隔をもって設けられており、図示の実施態様では、最上段の貫入孔(12)がストッパーの出入口となっており、かつその最上段の貫入孔(12)の上端が、被係合部の下端となっている。貫入孔(12)の幅は、ストッパーの幅とほぼ等しい。
【００１９】
連結部材(14)は、パネル体(２)の上部角部(５)の位置において、上端部(６)の溝(７)内に配置されている。連結部材(14)には、他方のパネル体(連結されるパネル体)(２)の上端部に設けられた被係合部(10)に嵌合する鈎部(16)が設けられている。鈎部(16)の内端面(17)はテーパー状になっている。また連結部材(14)には、後述するねじ部材が貫通する長孔(孔)(18)が設けられている。
【００２０】
連結部材(14)の鈎部(16)と反対側の端部の両側には、円柱状の突起(20)が設けられており、これらは、溝(７)の両内側面に回転可能に係合されている。
【００２１】
ねじ部材(22)が、連結部材(14)の長孔(18)に嵌入されている。ねじ部材(22)の頭部(24)は、滑り止めの溝(26)が周設された、径の大きな円柱ノブ形状になっている。従ってねじ部材(22)は、手で直接回転可能になっている。
【００２２】
ねじ部材(22)には、連結部材(14)の裏面側において割ピン(28)が係合しており、ねじ部材(22)が連結部材(14)から外れないようになっている。
【００２３】
ストッパー(30)が、対向する両面が開口した箱状のストッパー・ホルダー(32)に収納されて、パネル体の上部角部(５)の内部空間内に配置されている。ストッパー(30)はほぼＺ字形状であり、その一方の折曲り部(33)において、ストッパー・ホルダー(32)に回転可能にヒンジ結合されている。一方の折曲り部(32)を境として、ねじ部材(22)が当接する第１の端部(34)と、自らのパネル体(２)の貫入孔(12)を出て、連結されるパネル体の貫入孔(12)に貫入するクランク型の第２の端部(36)とを有している。
【００２４】
第１の端部(34)に対向して、ストッパーホルダー(32)には孔が設けられており、その孔には、ナット(37)が固着されている。
【００２５】
ストッパー(30)における第２の端部(36)が、一方の折曲り部(33)のヒンジ結合部から自重で垂下したとき、第１の端部(34)がナット(37)に当接するように、ストッパー(30)の重心が定められている。またストッパー(30)の第２の端部(36)は、折曲り部(33)より大きい折曲り角度αをもって折曲げられており、ストッパー(30)が、連結されるパネル体(２)の貫入孔(12)に貫入したとき、第２の端部(36)がほぼ水平となるようにしてある。
【００２６】
パネル体(２)には、上端面の上を覆うプラスチック・カバー(図示省略)が別途用意されており、また、パネル体(２)の下端面には、アジャスター(40)が設けられている。
【００２７】
このように構成された２つのパネル体(２)を連結するには、アジャスター(40)で高さを調節した後、パネル体の側端部(11)を突き合わせ、一方の連結部材(14)を回転させて、鉤部(16)を連結されるパネル体(２)の被係合部(10)に係合し、ねじ部材(22)の頭部(24)を手で回転する。
【００２８】
すると、ねじ部材(22)が貫通孔(８)を経てナット(37)に螺合して進み、連結部材(14)がパネル体(２)の上端部に向かって締め付けられ、鈎部(16)が被係合部(10)の奥まで進んで、ヒンジである突起(20)と鈎部(16)との間で双方のパネル体(２)が連結される。それと同時に、ねじ部材(22)の先端(25)がナット(37)を通過して、ストッパー(30)の第１の端部(34)を押圧し、それに伴って、ストッパー(30)が回転して、第２の端部(36)が、連結されるパネル体(２)の貫入孔(12)に貫入する。
【００２９】
第１の端部(34)がナット(37)に当接しているので、ねじ部材(22)はナット(37)を通過した後、すぐに第１の端部(34)に当接することができ、ストッパー(30)の回転を確実に行い、かつねじ部材(22)の長さを短くすることができる。
【００３０】
連結部材(14)は、２つのパネル体(２)の双方に配置されているので、一方の連結部材(14)は使用せずに、仰向けに寝かせたままにしておく。このときねじ部材(22)の頭部(24)は収納凹部(９)内に収納される。連結部材(14)が突起(20)によりパネル体(２)の上部(６)に枢着されているので、連結部材(14)の紛失が防止される。次に２つのパネル体(２)の上端部に跨がってプラスチック・カバーを被せることにより、２つのパネル体(２)の連結作業が完了する。
【００３１】
このようにして２つのパネル体(２)を突き合わせた後、一方の連結部材(14)を倒し(回転し)、１つのねじ部材(22)の頭部(24)を手で直接回転するだけでよく、連結作業が極めて容易になる。
【００３２】
即ち、連結部材の鈎部(16)を被係合部(10)に上側から嵌合してねじ部材(22)を締めることにより、連結を行うことができるので、アジャスター(40)による双方のパネル体(２)の高さ調節が正確でなくても、この連結が可能である。
【００３３】
また、鈎部(16)がテーパー状になっているので、ねじ部材(22)を締めると、鈎部(16)が被係合部(10)の縁に当たりながら進むので、２つのパネル体(２)同士の隙間がより狭まり、パネル体(２)間に多少の隙間が生じていても、連結後にパネル体の間の隙間がなくなる。
【００３４】
更に、ストッパー(30)の他方のパネル体(２)への貫入も、ねじ部材(22)の頭部(24)を回転する時に同時に行われるので、別途ストッパーの作業を行う必要がない。ストッパー(30)が他方のパネル体の貫入孔(12)に貫入しており、ストッパー(30)が貫入孔(12)内でパネル体(２)の垂直方向の動きを阻止するので、双方のパネル体(２)が垂直方向に互いに位置ずれを起こすことが阻止される。
【００３５】
上記実施態様において、連結部材(14)は突起(20)によりパネル体(２)の上端部に枢着されているとしたが、連結部材(14)には必ずしも突起(20)を設けないでもよく、従って連結部材(14)はパネル体(２)から分離されていてもよい。この場合、連結部材のねじ部材の貫通孔(18)を長孔とせず、２つのパネル体(２)の間の連結は、ねじ部材(22)と鈎部(16)との間で行われる。
【００３６】
次に本発明の第２の実施態様を、図４を用いて説明する。
図４において、コーナー部材(48)が別途設けられている。コーナー部材(48)は、パネル体(２)と同一の高さを有し(図４においては上部のみを示してある)、４面において、それぞれ連結部材(14)の鈎部(16)が上端部に係合する被係合部(50)、及びその被係合部(50)の下方に形成されたストッパー(30)のための貫入孔(51)とを有している。
【００３７】
従って、第１の実施態様の２つのパネル体を直角(Ｌ字形)に連結する場合には、コーナー部材(48)の隣り合う２つの面に、それぞれのパネル体(２)を突き合わせ、それぞれのパネル体(２)の連結部材(14)の鈎部(16)を被係合部(50)の上端に係合した状態で、ねじ部材(22)の頭部(24)を回す。
【００３８】
すると、双方の鈎部(16)が被係合部(50)にしっかりと係合して、２つのパネル体(２)がコーナー部材を介して直角に隙間なく連結される。それと同時に、それぞれのストッパー(30)が、それぞれの貫入孔(51)に貫入し、被係合部(50)の下端に係合して、２つのパネル体の互いの位置ずれが防止される。
【００３９】
２つのパネル体(２)をＴ字形に連結する場合には、コーナー部材(48)の３つの面に、それぞれのパネル体を突き合わせて、上記と同様にして作業を行う。
【００４０】
４つのパネル体を十字形に連結する場合にも、同様にして作業を行う。
【００４１】
このようにコーナー部材(48)を用いることにより、またパネル体(２)には、それぞれ、左右双方の上部角部それぞれに、連結部材(14)及びストッパー(30)を設けてあるので、コーナー部での連結も容易に行うことができる。
【００４２】
ねじ部材(22)の頭部(24)は、図２に示す例の他、図５、図６に示すように、垂直偏平なつまみ部からなる頭部(54)有するねじ部材(52)を用いてもよい。
【００４３】
上記の２つの実施態様においては、連結されるパネル体(２)またはコーナー部材(48)の側端部(11)の上端と、その下方の最上段の貫入孔(12)(51)の上端との間の部分を被係合部(10)(50)としているが、上記側端部(11)の任意の貫入孔(12)(51)の下端と、それより下方の貫入孔(12)(51)の上端との間の部分を被係合部としてもよい。
【００４４】
そのようにすることによって、高さの異なる２枚のパネル体(２)(２)同士またはパネル体(２)とコーナー部材(48)とを連結することができる。
すなわち、高さの低い方のパネル体(２)側に設けた連結部材(14)を、それと対向する高さの高いパネル体(２)またはコーナー部材(48)の側端部に設けられた等高の貫入孔(12)(51)に嵌合して、その下縁により形成される被係合部の上端に係合し、かつストッパー(30)の第２の端部(36)を、上記貫入孔(12)(51)より下方の任意の貫入孔(12)(51)に挿入して、その貫入孔(12)(51)の上縁により形成される被係合部の下端に係合させるのである。
【００４５】
【発明の効果】
本発明の間仕切りパネルの連結装置を用いることにより、パネル体の連結作業は極めて容易になり、パネル体の相互の位置ずれも十分に防止される。
【図面の簡単な説明】
【図１】  本発明の第１の実施態様の分解斜視図である。
【図２】  図１における連結部材のねじ部材の位置における縦断面図である。
【図３】    本発明の第１の実施態様における双方のパネル体を連結した状態を示す正面図である。
【図４】  本発明の第２の実施態様におけるコーナー部材の斜視図である。
【図５】  ねじ部材の他の例を示す正面図である。
【図６】  同じく側面図である。
【図７】  間仕切パネルの連結装置の従来例を示す斜視図である。
【図８】  同じく異なる従来例を示す斜視図である。
【図９】  同じくさらに異なる従来例を示す斜視図である。
【符号の説明】
(２)パネル体
(５)パネル体の上部角部
(６)パネル体の上端部
(７)溝
(10)被係合部
(11)パネル体の側端部
(12)貫入孔
(14)連結部材
(16)鈎部
(17)内端面
(18)長孔(孔)
(22)ねじ部材
(24)頭部
(25)ねじ部材の先端
(30)ストッパー
(34)第１の端部
(36)第２の端部
(37)ねじ孔
(48)コーナー部材
(50)被係合部
(51)貫入孔
【図１】
0003711507.tif 000002
【図２】
0003711507.tif 000003
【図３】
0003711507.tif 000004
【図４】
0003711507.tif 000005
【図５】
0003711507.tif 000006
【図６】
0003711507.tif 000007
【図７】
0003711507.tif 000008
【図８】
0003711507.tif 000009
【図９】
0003711507.tif 000010